(57)【特許請求の範囲】
【請求項１】
眼鏡フレームに枠入れされた左右レンズの各光学中心間の距離を測定する測定機構を有するレンズメータにおいて、
前記距離を測定する際に前記眼鏡フレームの鼻当てに当接する鼻パットがレンズ受けを挟んで両側にそれぞれ設けられ、
前記各鼻パットは、所定間隔を保った状態で連結され、外力が作用していないときは前記レンズ受けを挟んで両側にそれぞれ位置するように弾性部材によって保持されていることを特徴とするレンズメータ。
【請求項２】
前記鼻パットの前記所定間隔は、測定可能な前記光学中心間の距離より長いことを特徴とする請求項１に記載のレンズメータ。
【発明の詳細な説明】
【技術分野】
【０００１】
本発明は、眼鏡フレームに枠入された左右レンズの各光学中心間の距離を測定する測定機構を有するレンズメータに関する。
【背景技術】
【０００２】
従来、眼鏡レンズの屈折特性を測定するためのレンズメータにおいて、眼鏡フレームに枠入れされた左右レンズの各光学中心間距離（以下、ＰＤと称す）も同時に測定できる機構を備えたものが知られている。この種の測定機構として、例えば図６に示すものが提案されている。図６（ａ），（ｂ）に示すように、この測定機構では、レンズメータの前後方向に水平移動可能で且つ前方に向かって付勢されている当接板１０２と、当接板１０２の上縁部に沿ってスライド可能なように当接板１０２に取り付けられた、人間の鼻形状に似せた外形を有する鼻パット１０４とを含んで構成される。
【０００３】
レンズメータの前に位置して作業する検者は、眼鏡フレーム１の２つの鼻当て２間に鼻パット１０４がぴったりと嵌り込んだ状態で眼鏡フレーム１の下縁部が当接板１０２に当接するように眼鏡フレーム１を手指で保持しながら、右レンズ３の凹状の内側面をレンズ受け１０６上に載置する。そして、眼鏡フレーム１を前後左右に少しずつ動かしながら右レンズの光学中心を測定光束の光軸Ｌに一致させるアライメントを行う。このアライメント時には、眼鏡フレーム１に動きに応じて鼻パット１０４も当接板１０２に対して移動する。右レンズの光学中心を測定光束の光軸Ｌに一致したとき、すなわちアライメントが完了したとき、検者が例えば測定ボタンを押すことで、そのときの鼻パット１０４の位置がレンズメータ内の制御部に記憶される。
【０００４】
続いて、検者は、左レンズ４についてアライメントを行うことになるが、そのときに図６（ａ）に示す右レンズ３のアライメント状態からそのまま眼鏡レンズ１を矢印Ａ方向にスライドさせようとすると、鼻パット１０４がレンズ受け１０６に干渉することになる。この干渉を避けるために、図６（ｃ）に示すように、検者は、眼鏡フレーム１をレンズ受け１０６から一旦離すように取り上げ、当接板１０４を矢印Ｂ方向に後退移動させてから鼻パット１０４を図６（ａ）中の点線で示す位置まで移動させる必要があり、ＰＤ測定をスムーズに行えないという問題があった。
【０００５】
このようなＰＤ測定時の左右レンズの入れ替え時において当接板１０２を移動させることなく鼻パット１０４のレンズ受け１０６との干渉を回避するため、下記特許文献１では、図７に示すように、鼻パット１０４の後端部が当接板１０２の前面の上縁部近傍において回動可能に支持され、外力が作用しない状態では鼻パット１０４が付勢手段の付勢力によってレンズ受け１０６よりも高い位置で前方に突出した状態に保持され、測定時には鼻パット１０４に鼻当て２を上方から当接させて眼鏡フレーム１を押し下げることで、鼻パット１０４が前記付勢力に抗して下方に回動するようにしたものが提案されている。
【０００６】
また、同様の技術として、下記特許文献２では、図８に示すように、鼻パット１０４の後端部が当接板１０２の前面の下縁部近傍において回動可能に支持され、外力が作用しない状態では鼻パット１０４が付勢手段の付勢力によって前上がりに傾斜して突出した状態に保持され、測定時には鼻パット１０４に鼻当て２を下方から当接させて眼鏡フレーム１を持ち上げることで、鼻パット１０４が付勢力に抗して上方に回動するようにしたものが提案されている。
【０００７】
しかしながら、特許文献１の技術では、鼻パット１０４がレンズ受け１０６を避けられる高さまで回動可能になっていても、被検レンズの左右を入れ替えるときに眼鏡を鼻パット１０４に当接させたままでは、鼻当て２が鼻パット１０４から外れないように被検レンズの入れ替えをゆっくりと慎重に行わなければならない。一方、鼻パット１０４に眼鏡フレーム１を載せたままで被検レンズの入れ替えを行わない場合には、鼻パット１０４から眼鏡フレーム１を取り外した後に、レンズ受け１０６を越えた位置まで鼻パット１０４を移動させる作業が別途に必要になる。また、通常は鼻パット１０４がレンズ受け１０６よりもかなり高い位置にあるので、最初に被検レンズをレンズ受け１０６上に載置するときには、鼻パット１０４に鼻当て２を当接させた状態を保ちながら被検レンズがレンズ受け１０６に載るまで眼鏡フレーム１をゆっくりと下げていくという慎重な動作が必要になる。
【０００８】
また、特許文献２の技術では、図８中に点線で示すように、鼻パット１０４を跳ね上げ位置まで回動させることで、当接板１０２を移動させることなく鼻パット１０４をレンズ受け１０６と干渉せずに通過移動させることができるようにしたものであるが、例えば装用状態での上下方向に幅が狭い細眼鏡等の場合には当接板１０２がレンズ受け１０６に非常に接近する場合があり、この場合には当接板１０２とレンズ受け１０６との間に鼻パット１０４の通過スペースがなく、当接板１０２を後退移動させることなくレンズ受け１０６を越えて鼻パット１０４を移動させることができない。また、通常は鼻パット１０４がレンズ受け１０６よりもかなり低い位置にあるので、最初に被検レンズをレンズ受け１０６上に載置するときには、鼻パット１０４に鼻当て２を下方から当接させた状態を保ちながら被検レンズがレンズ受け１０６に載るまで眼鏡フレーム１をゆっくりと上げていくという慎重な動作が必要になる。
【０００９】
【特許文献１】特許第３４３４９４１号公報
【特許文献２】特開２００５−１５６１７４号公報
【発明の開示】
【発明が解決しようとする課題】
【００１０】
そこで、本発明は、当接板および鼻パットを移動させる作業を必要とせずにＰＤ測定を円滑かつ迅速に行えるレンズメータを提供することを課題とするものである。
【課題を解決するための手段】
【００１１】
前記課題を解決するために、本発明は、眼鏡フレームに枠入れされた左右レンズの各光学中心間の距離を測定する測定機構を有するレンズメータにおいて、
前記距離を測定する際に前記眼鏡フレームの鼻当てに当接する鼻パットがレンズ受けを挟んで両側にそれぞれ設けられ、
前記各鼻パットは、所定間隔を保った状態で連結され、外力が作用していないときは前記レンズ受けを挟んで両側にそれぞれ位置するように弾性部材によって保持されていることを特徴とする。
【００１２】
本発明のレンズメータにおいて、前記レンズ受けに前記左右レンズのいずれかが載置されている状態で前記眼鏡フレームまたは前記左右レンズの下縁部または上縁部に当接する当接板を有し、前記鼻パットは前記当接板の長手方向に沿って移動可能であることが好ましい。
【００１３】
また、本発明のレンズメータにおいて、前記鼻パットの前記所定間隔は、測定可能な前記光学中心間の距離より長くてもよい。
【発明の効果】
【００１４】
本発明のレンズメータによれば、レンズ受けの両側に鼻パットがそれぞれ設けてあるので、左右レンズの一方から他方に被検レンズを入れ替える際には、鼻当てが一方の鼻パットから外れてから他方の鼻パットに当接するように眼鏡フレームを素早く移動させるだけでよい。これにより、鼻パットや当接板を移動させる作業を全く必要とせずに、左右レンズについて被検レンズの入れ替えを円滑かつ迅速に行うことができ、ＰＤ測定の作業性が向上する。
【００１５】
また、レンズ受けの両側に鼻パットがそれぞれ存在するので、左右レンズのどちらからでも直ちに測定を開始することができる。
【００１６】
さらに、レンズ受けの両側にある各鼻パットが所定間隔を保った状態で連結されていることで、各鼻パットのスライド移動機構や各鼻パットの移動距離を測定する測定機構を１つに共通化することができ、構成の簡単化とコスト低減を図れる。
【発明を実施するための最良の形態】
【００１７】
以下に、本発明の実施の形態について添付図面を参照して説明する。
図１は、本発明の一実施形態であるレンズメータ１０の全体斜視図である。なお、以後の説明において、レンズメータ１０を使用する検者から見た方向で、手前側を「前」、奥側を「後」、および「右左」というものとする。
【００１８】
レンズメータ１０は、例えば樹脂製の筐体１２を備えている。筐体１２の前面の略中央には、下部が円筒状で上部が円錐台状をなすレンズ受け１４が配設されている。このレンズ受け１４の上に、被検レンズが載置されるようになっている。また、レンズ受け１４には、その上面に円形の開口部１６が形成されるとともに、前記開口部１６から入射した測定光束を受光する受光光学系（不図示）が内蔵されている。
【００１９】
筐体１２の前面上部には、例えばＬＥＤからなる光源を含む光源部１８が配設されている。光源部１８から鉛直下方に放射された測定光束は、レンズ受け１４上に載置された被検レンズを通過してレンズ受け１４内の受光光学系によって受光されるようになっている。
【００２０】
前記光源部１８の下には、レンズ押さえ２０が設けられている。レンズ押さえ２０は、図１に示す位置から下方に移動可能になっており、測定光束が通る内部空間を形成する筒状部と、この筒状部から下方に突出する複数本（本実施形態では４本）のレンズ押さえピンとから構成されている。これにより、レンズ押さえ２０が下降移動してレンズ押さえピンの先端がレンズ受け１４上に載置された被検レンズに所定の押圧力でもって当接することで、被検レンズがレンズ受け１４上で保持されるようになっている。
【００２１】
また、図１に示す待機位置にあるレンズ押さえ２０の近傍には、印点ユニット２２が配置されている。印点ユニット２２は、被検レンズの表面に印点を形成するためのもので、検者が操作レバー２２ａによって、印点ユニット２２が前方に約９０度回動した後に下降移動して印点ペン２２ｂの先端が被検レンズの表面に接触することで、被検レンズの光学中心位置等にインクによる点状マークである印点が付されるようになっている。
【００２２】
さらに、検者側に最も近い側にある筐体１２の前部には、表示操作部２４が設けられている。表示操作部２４は、レンズメータ１０による被検レンズの光学特性の測定結果を表示する例えばＬＣＤからなるディスプレイ２６と、検者が測定操作を入力するための複数（本実施形態では４つ）の操作ボタン２８とを含む。
【００２３】
前記レンズ受け１４と表示操作部２４との間の筐体１２上には、測定ボタン３０が突設されている。検者が測定ボタン３０を押したときに、そのときの被検レンズに関する測定値等が、筐体１２に内蔵された制御部（不図示）に記憶されるようになっている。
【００２４】
また、筐体１２の右側部には、レンズメータ１０による測定結果をプリントアウトするためのプリンタ３２が内蔵されている。
【００２５】
レンズ受け１４の後方側には、横長の略長方形の前面を有する当接板３４が配設されている。当接板３４は、未使用時には筐体１２の前壁面１３に近接した位置に係止状態で収納されているが、使用時に一旦押し込まれることで前記係止状態が解除されて、一定の押圧力をもって前方にせり出してくるように構成されている。これにより、検者が、眼鏡フレームに枠入れされた左右レンズのいずれかをレンズ受け１４上に載置して、眼鏡フレームの下縁部または上縁部（縁なしフレームの場合は左右レンズの下縁部または上縁部）を当接板３２の前面に当接させた状態で、眼鏡フレームを保持しながら前後方向に移動させることで、レンズ受け１４に関する被検レンズの前後位置が調節および位置決めされるようになっている。
【００２６】
レンズ受け１４を挟んでその両側には、鼻パット３６がそれぞれ配設されている。鼻パット３６は、眼鏡フレームの中央にある２つの鼻当ての間に嵌り込むように当接して眼鏡を支持するもので、前記２つの鼻当てに安定した状態で当接できるように略台形状の横断面を有する部材で構成されている。また、２つの鼻パット３６は、所定間隔を保った状態で連結部材３８によって連結されている。この所定間隔は、レンズメータ１０による測定可能なＰＤよりも長く設定されている。
【００２７】
図２および図３を参照して、鼻パット３６についてより詳細に説明する。図２は、当接板３４を透視状態で示した正面図、図３は図２における右側面図である。各鼻パット３６は、支持部材４０の先端に軸４２によって軸支され、図３に示す位置を上限として回動可能になっている。この上限位置では、鼻パット３６の先端部は、レンズ受け１４の先端とほぼ同じ高さに位置している。また、軸４２の周囲に外装されたねじりばね（不図示）の一端が鼻パット３６に、他端が支持部材４０にそれぞれ係合しており、前記ねじりばねによって鼻パット３６には図３中において時計回り方向への付勢力が常に作用している。これにより、鼻パット３６は、眼鏡の２つの鼻当てに挟まれるように当接された状態で押し下げられることで前記ねじりばねの付勢力に抗して下方に回動し、外力の付与が解除されると前記ねじりばねの付勢力によって図３に示す通常位置まで復帰するようになっている。
【００２８】
２つの支持部材４０は、前記連結部材３８によって連結されている。連結部材３８には、図３に示すように、周知のスライド構造４６が設置されており、これにより各鼻パット３６は当接板３４の長手方向に沿って移動できるようになっている。
【００２９】
図２に示すように、連結部材３８の前方に突出した下端部５０の外側には、弾性部材としてのコイルばね５２がそれぞれ設けられている。各コイルばね５２は、一端部のフックが連結部材３８の下端部５０の両側角部にそれぞれ形成された穴に引っ掛けられており、他端部のフックが当接板３４の内部に突設された突起に引っ掛けられている。これにより、２つのコイルばね５２の付勢力または引っ張り力が均衡することで、図２に示すように、外力が作用していないときには２つの鼻パット３６はレンズ受け１４を挟んで両側にそれぞれ位置する初期位置にある。一方、検者により外力が付与されて鼻パッド３６が移動された後に前記外力が解除されたときには、前記２つのコイルばね５２の付勢力または引っ張り力によって各鼻パット３６は初期位置に復帰するようになっている。なお、前記初期位置では、各鼻パット３６はレンズ受け１４に関して対称位置であることが好ましいが、勿論これに限定されるものではない。
【００３０】
また、当接板３４の背面には、ＰＤ測定機構（不図示）が設けられている。このＰＤ測定機構は、連結部材３８の移動距離を測定することで鼻パット３６の初期位置からの移動距離を検出するためのものである。このＰＤ測定機構としては、光学的または磁気的な位置センサによって連結部材３８の位置を検出する、電気抵抗の変化によって連結部材３８の位置を検出する等の周知技術を適用できる。
【００３１】
なお、本実施形態では、鼻パット３６を初期位置に保持または復帰させるための弾性部材としてコイルばね５２を用いたが、例えばゴム等の他の弾性部材を代替として用いてもよい。
【００３２】
次に、前記構成からなるレンズメータ１０におけるＰＤ測定動作について説明する。
図４に示すように、眼鏡フレーム１に枠入れされた左右レンズ３，４のうち、検者がまず右レンズ３についてＰＤ測定を行おうとする場合、検者は、両手または片手の手指で眼鏡フレーム１を把持して、２つの鼻当て２の間に挟まれるように左側鼻パット３６に鼻当て２を上方から当接させる。この状態で、検者は、右レンズ３の中央部がレンズ受け１４の測定光軸Ｌにほぼ一致する位置まで眼鏡フレーム１を矢印Ｃ方向に移動させてから、眼鏡フレーム１を押し下げる。これにより、右レンズ３がレンズ受け１４上に載置される。このとき、図５に示すように、左側鼻パット３６は鼻当て２に当接した状態を維持しながらねじりばねの付勢力に抗して下方に回動し、眼鏡フレーム１の下縁部が当接板３４の前面に当接する。この場合、左側鼻パット３６の先端部は、上限位置でレンズ受け１４の先端とほぼ同じ高さになっていることから、右レンズ３をレンズ受け１４上に載置するまでの左側鼻パット３６の下方への回動量は比較的小さくて済み、レンズ受け１４上への被検レンズの載置作業を容易に行うことができる。
【００３３】
このように右レンズ３がレンズ受け１４に載置された状態で、検者は表示操作部２４のディスプレイ２６を見ながら眼鏡フレーム１を前後左右に少しずつ移動させて、アライメントを行う。すなわち、検者は、ディスプレイ２６を見ながら、光源部１８から放射された測定光束が被検レンズである右レンズ３を通過してレンズ受け１４内の受光光学系で受光されることよって検出される右レンズ３の光学中心の位置を測定光軸Ｌに一致させるように、右レンズ３の位置を微調整する。
【００３４】
右レンズ３の光学中心が測定光軸Ｌに一致したとき、検者は、測定ボタン３０を押す。これにより、左側の鼻パット３６の移動量（すなわち連結部材３８の移動量）ｄが検出されて、制御部に記憶される。制御部では、測定光軸Ｌを通って当接板３４に直交する平面から、初期位置にある左側の鼻パット３６の中央位置（すなわち眼鏡フレーム１の中央置５）までの距離が予め記憶されていることから、この距離から前記移動量ｄを減算することによって、眼鏡フレーム１の中央位置５と右レンズ３の光学中心との間の距離が得られて、記憶される。
【００３５】
続けて、左レンズ４についてＰＤ測定を行う場合、検者は眼鏡フレーム１を持ち上げて、左側鼻パット３６から鼻当て２を離す。すると、左側鼻パット３６は、ねじりばねの付勢力によって上方に回動して上限位置に戻り、同時に、連結部材３８が２つのコイルばね５２によって初期位置に復帰する。
【００３６】
左側鼻パット３６から鼻当て２を離すように眼鏡フレーム１を持ち上げた検者は、直ちに、眼鏡フレーム１を右方向に素早く移動させて右側鼻パット３６に鼻当て２を当接させる。それ以後の右レンズ４についての測定動作は、上述した左レンズ３の測定動作と同様である。これにより、制御部は、眼鏡フレーム１の中央位置５と左レンズ４の光学中心との間の距離を得ることができ、この距離と、既に測定された眼鏡フレーム１の中央位置５と右レンズ３の光学中心との間の距離を加算することでＰＤを算出することができる。
【００３７】
測定されたＰＤは、眼鏡フレーム１の中央位置５から左右レンズ３，４の各光学中心までの距離と共に、ディスプレイ２６に表示され、必要に応じて検者の操作によってプリンタ３２からプリントアウトされる。
【００３８】
上述したように、本実施形態のレンズメータ１０によれば、レンズ受け１４の両側に鼻パット３６がそれぞれ設けてあるので、左右レンズ３，４の一方から他方に被検レンズを入れ替える際には、鼻当て２が一方の鼻パット３６から外れてから他方の鼻パット３６に当接するように眼鏡フレーム１を素早く移動させるだけでよい。これにより、鼻パット３６や当接板３４を移動させる作業を全く必要とせずに、左右レンズ３，４について被検レンズの入れ替えを円滑かつ迅速に行うことができ、ＰＤ測定の作業性が向上する。
【００３９】
また、レンズ受け１４の両側に鼻パット３６がそれぞれ存在するので、左右レンズ３，４のどちらからでも測定を開始することができる。
【００４０】
さらに、レンズ受け１４の両側にある各鼻パット３６が連結部材３８によって所定間隔を保った状態で連結されていることで、各鼻パット３６のスライド移動機構であるスライド構造４６や各鼻パット３６の移動距離を測定するＰＤ測定機構を１つに共通化することができ、構成の簡単化とコスト低減を図れる。
【図面の簡単な説明】
【００４１】
【図１】レンズメータの全体斜視図。
【図２】当接板を省略して鼻パットのスライド機構を示す正面図。
【図３】図２の右側面図。
【図４】右レンズのＰＤ測定状態を示す図。
【図５】被検レンズがレンズ受けに載置されたときの鼻パットの回動位置を示す図。
【図６】従来の鼻パットの一例を示す図。
【図７】従来の鼻パットの別の例を示す図。
【図８】従来の鼻パットのさらに別の例を示す図。
【符号の説明】
【００４２】
１…眼鏡フレーム
２…鼻当て
３…右レンズ
４…左レンズ
５…眼鏡フレームの中央位置
１０…レンズメータ
１２…筐体
１４…レンズ受け
１８…光源部
２０…レンズ押さえ
２２…印点ユニット
２４…表示操作部
２６…ディスプレイ
２８…操作ボタン
３０…測定ボタン
３２…プリンタ
３４…当接板
３６…鼻パット
３８…連結部材
４０…支持部材
４６…スライド機構
５２…コイルばね（弾性部材）
【図１】
0004777108.tif 000002
【図２】
0004777108.tif 000003
【図３】
0004777108.tif 000004
【図４】
0004777108.tif 000005
【図５】
0004777108.tif 000006
【図６】
0004777108.tif 000007
【図７】
0004777108.tif 000008
【図８】
0004777108.tif 000009